【手続補正書】
【提出日】平成19年12月5日(2007.12.5)
【手続補正１】
【補正対象書類名】明細書
【補正対象項目名】発明の名称
【補正方法】変更
【補正の内容】
【発明の名称】原木両木口マーク付け供給方法
【手続補正２】
【補正対象書類名】明細書
【補正対象項目名】特許請求の範囲
【補正方法】変更
【補正の内容】
【特許請求の範囲】
【請求項１】原木両木口の旋削中心を演算する演算工程と、
演算された両木口の各旋削中心に、一対の挟持部材に各々備えたマ−ク機構のマーク中心線が相対する様に、原木又は一対の挟持部材の少なくとも一方を移動させる工程と、
一対の挟持部材により原木を両木口で挟持する工程と、
前記原木を挟持した状態で一対の挟持部材を所定位置まで移動させる工程と、
所定位置で一対の挟持部材による原木の挟持を開放する工程と、
一対の挟持部材により原木を両木口で挟持してから前記原木の挟持を開放するまでに、原木両木口にマーク機構によりマークを付ける工程と、
からなる原木両木口マーク付け供給方法。
【請求項２】原木両木口の旋削中心を演算する演算工程と、
演算された両木口の各旋削中心を結ぶ仮想線と、次工程で原木木口を挟持し回転する第１の一対の挟持部材の軸中心線とが平行となる様に原木を移動させる工程と、
前記平行になった仮想線に第２の一対の挟持部材に各々備えたマーク機構のマーク中心線が各々相対する様に、原木又は第２の一対の挟持部材の少なくとも一方を移動させる工程と、
第２の一対の挟持部材により原木を両木口で挟持する工程と、
前記原木を挟持した状態で第２の一対の挟持部材を、前記仮想線が前記軸中心線と一致するまで移動させる工程と、
前記一致するまで移動させた後、第１の一対の挟持部材により原木を両木口で挟持し次いで第２の一対の挟持部材による原木の挟持を開放する工程と、
第２の一対の挟持部材により原木を両木口で挟持してから前記原木の挟持を開放するまでに、原木両木口にマーク機構によりマークを付ける工程と
第１の一対の挟持部材により原木を両木口で挟持した状態で原木を加工した後に、第１の一対の挟持部材による原木の挟持を開放する工程と、
からなる原木両木口マーク付け供給方法。
【請求項３】原木両木口の旋削中心を演算する演算工程と、
演算された両木口の各旋削中心に、第２の一対の挟持部材に各々備えたマーク機構のマーク中心線が各々相対する様に、原木又は第２の一対の挟持部材の少なくとも一方を移動させる工程と、
第２の一対の挟持部材により原木を両木口で挟持する工程と、
前記原木を挟持した状態で第２の一対の挟持部材を、次工程で原木木口を挟持し回転する第１の一対の挟持部材に受け渡す位置まで移動させると共に、該受け渡す位置まで移動し終えるまでに前記両木口の各旋削中心を結ぶ仮想線と、第１の一対の挟持部材の軸中心線とが一致するように、第１の一対の挟持部材を各々移動させる工程と、
前記移動させた後、第１の一対の挟持部材により原木を両木口で挟持し次いで第２の一対の挟持部材による原木の挟持を開放する工程と、
第２の一対の挟持部材により原木を両木口で挟持してから前記原木の挟持を開放するまでに、原木両木口にマーク機構によりマークを付ける工程と、
第１の一対の挟持部材により原木を両木口で挟持した状態で原木を加工した後に、第１の一対の挟持部材による原木の挟持を開放する工程と、
からなる原木両木口マーク付け供給方法。
【請求項４】 原木両木口の旋削中心を演算し、

次いで各々基台の定位置にマーク機構が備えられ且つ基台に対し各々移動自在に設けた第２の一対の挟持部材により原木両木口を挟持し、

次に次工程で原木木口を挟持し回転する第１の一対の挟持部材に原木を受け渡す位置へ、基台が移動するまでに、
原木両木口の旋削中心と各マーク機構のマーク中心線とが相対する様に第２の一対の挟持部材を各々移動させた後、原木両木口にマーク機構によりマークを付け、
次いで前記原木の両木口の各旋削中心を結ぶ仮想線と、第１の一対の挟持部材の軸中心線とが一致する様に、第２の一対の挟持部材を各々移動させ、
前記基台が移動した後、第１の一対の挟持部材により原木を両木口で挟持し次いで第２の一対の挟持部材による原木の挟持を開放し、
第１の一対の挟持部材により原木を両木口で挟持した状態で原木を加工した後に、第１の一対の挟持部材による原木の挟持を開放すること、
からなる原木両木口マーク付け供給方法。
【請求項５】原木両木口の旋削中心を演算し、

次いで各々基台の定位置にマーク機構が備えられ且つ基台に対し各々移動自在に設けた第２の一対の挟持部材により原木両木口を挟持し、

次に開放位置に向けて基台が移動し始めた後であって、基台が開放位置に到達した後、第２の一対の挟持部材による原木の挟持を開放するまでに、
原木両木口の旋削中心と各マーク機構のマーク中心線とが相対する様に第２の一対の挟持部材を各々移動させ、
次いで原木両木口にマーク機構によりマークを付ける、
原木両木口マーク付け供給方法。
【手続補正３】
【補正対象書類名】明細書
【補正対象項目名】０００１
【補正方法】変更
【補正の内容】
【０００１】
【発明の属する技術分野】
この発明は、演算器により演算して求めた原木の両木口の旋削中心に穴あけをする等のマークを付けた後、該マークを検出し該両木口のマークを結ぶ仮想線と旋削加工する加工機の軸中心線を一致させて保持し加工する場合の、原木両木口マーク付け供給方法に関する。
【手続補正４】
【補正対象書類名】明細書
【補正対象項目名】０００５
【補正方法】変更
【補正の内容】
【０００５】
【発明が解決しようとする課題】
本発明は、上記した従来の欠点を解決するために発明されたものであり、その課題とする処は、装置を小型化及び構造を簡易化して低コスト化することができる原木両木口マーク付け供給方法を提供することにある。
【手続補正５】
【補正対象書類名】明細書
【補正対象項目名】０００６
【補正方法】変更
【補正の内容】
【０００６】
【問題点を解決するための手段】
このため、
原木両木口の旋削中心を演算する演算工程と、
演算された両木口の各旋削中心に、一対の挟持部材に各々備えたマ−ク機構のマーク中心線が相対する様に、原木又は一対の挟持部材の少なくとも一方を移動させる工程と、
一対の挟持部材により原木を両木口で挟持する工程と、
前記原木を挟持した状態で一対の挟持部材を所定位置まで移動させる工程と、
所定位置で一対の挟持部材による原木の挟持を開放する工程と、
一対の挟持部材により原木を両木口で挟持してから前記原木の挟持を開放するまでに、原木両木口にマーク機構によりマークを付ける工程と、
からなる原木両木口マーク付け供給方法。（請求項１）と、
原木両木口の旋削中心を演算する演算工程と、
演算された両木口の各旋削中心を結ぶ仮想線と、次工程で原木木口を挟持し回転する第１の一対の挟持部材の軸中心線とが平行となる様に原木を移動させる工程と、
前記平行になった仮想線に第２の一対の挟持部材に各々備えたマーク機構のマーク中心線が各々相対する様に、原木又は第２の一対の挟持部材の少なくとも一方を移動させる工程と、
第２の一対の挟持部材により原木を両木口で挟持する工程と、
前記原木を挟持した状態で第２の一対の挟持部材を、前記仮想線が前記軸中心線と一致するまで移動させる工程と、
前記一致するまで移動させた後、第１の一対の挟持部材により原木を両木口で挟持し次いで第２の一対の挟持部材による原木の挟持を開放する工程と、
第２の一対の挟持部材により原木を両木口で挟持してから前記原木の挟持を開放するまでに、原木両木口にマーク機構によりマークを付ける工程と
第１の一対の挟持部材により原木を両木口で挟持した状態で原木を加工した後に、第１の一対の挟持部材による原木の挟持を開放する工程と、
からなる原木両木口マーク付け供給方法。（請求項２）と、
原木両木口の旋削中心を演算する演算工程と、
演算された両木口の各旋削中心に、第２の一対の挟持部材に各々備えたマーク機構のマーク中心線が各々相対する様に、原木又は第２の一対の挟持部材の少なくとも一方を移動させる工程と、
第２の一対の挟持部材により原木を両木口で挟持する工程と、
前記原木を挟持した状態で第２の一対の挟持部材を、次工程で原木木口を挟持し回転する第１の一対の挟持部材に受け渡す位置まで移動させると共に、該受け渡す位置まで移動し終えるまでに前記両木口の各旋削中心を結ぶ仮想線と、第１の一対の挟持部材の軸中心線とが一致するように、第１の一対の挟持部材を各々移動させる工程と、
前記移動させた後、第１の一対の挟持部材により原木を両木口で挟持し次いで第２の一対の挟持部材による原木の挟持を開放する工程と、
第２の一対の挟持部材により原木を両木口で挟持してから前記原木の挟持を開放するまでに、原木両木口にマーク機構によりマークを付ける工程と、
第１の一対の挟持部材により原木を両木口で挟持した状態で原木を加工した後に、第１の一対の挟持部材による原木の挟持を開放する工程と、
からなる原木両木口マーク付け供給方法。（請求項３）と、
原木両木口の旋削中心を演算し、

次いで各々基台の定位置にマーク機構が備えられ且つ基台に対し各々移動自在に設けた第２の一対の挟持部材により原木両木口を挟持し、

次に次工程で原木木口を挟持し回転する第１の一対の挟持部材に原木を受け渡す位置へ、基台が移動するまでに、
原木両木口の旋削中心と各マーク機構のマーク中心線とが相対する様に第２の一対の挟持部材を各々移動させた後、原木両木口にマーク機構によりマークを付け、
次いで前記原木の両木口の各旋削中心を結ぶ仮想線と、第１の一対の挟持部材の軸中心線とが一致する様に、第２の一対の挟持部材を各々移動させ、
前記基台が移動した後、第１の一対の挟持部材により原木を両木口で挟持し次いで第２の一対の挟持部材による原木の挟持を開放し、
第１の一対の挟持部材により原木を両木口で挟持した状態で原木を加工した後に、第１の一対の挟持部材による原木の挟持を開放すること、
からなる原木両木口マーク付け供給方法。（請求項４）と、
原木両木口の旋削中心を演算し、

次いで各々基台の定位置にマーク機構が備えられ且つ基台に対し各々移動自在に設けた第２の一対の挟持部材により原木両木口を挟持し、

次に開放位置に向けて基台が移動し始めた後であって、基台が開放位置に到達した後、第２の一対の挟持部材による原木の挟持を開放するまでに、
原木両木口の旋削中心と各マーク機構のマーク中心線とが相対する様に第２の一対の挟持部材を各々移動させ、
次いで原木両木口にマーク機構によりマークを付ける、
原木両木口マーク付け供給方法。（請求項５）と、
を提供する。